(57)【要約】【課題】  良好な熱交換性能及び運搬性を得る。【解決手段】  運搬可能な一体状のケース１０と、このケース１０内に設けられた熱交換器２０と、ケース外からケース内に入り熱交換器２０の一次側流路２１ａ，２１ｂを通過してケース外へ戻る熱源側配管系統Ａと、ケース外からケース内へ入り熱交換器２０の二次側流路２２を通過してケース外へ戻る利用側配管系統Ｂとを備え、熱源側配管系統Ａ中には、ケース内における熱交換器２０よりも上流側で異物を除去する異物除去装置４２が設けられ、利用側配管系統Ｂ中には、ケース内における熱交換器２０よりも下流側で熱交換後の液を一時貯溜して更に下流側へ流す貯溜タンク６４が設けられている。【選択図】  図１
2019184182.tif 000002
【特許請求の範囲】
【請求項１】
運搬可能な一体状のケースと、このケース内に設けられた熱交換器と、ケース外からケース内に入り前記熱交換器の一次側流路を通過してケース外へ戻る熱源側配管系統と、ケース外からケース内へ入り前記熱交換器の二次側流路を通過してケース外へ戻る利用側配管系統とを備え、
前記熱源側配管系統中には、前記ケース内における前記熱交換器よりも上流側で異物を除去する異物除去装置が設けられ、前記利用側配管系統中には、前記ケース内における前記熱交換器よりも下流側で熱交換後の液を一時貯溜して更に下流側へ流す貯溜タンクが設けられていることを特徴とする自然水熱採集ユニット。
【請求項２】
前記熱交換器の一次側流路を複数並列に設けるとともに、これら複数の一次側流路の流入側に接続された複数の配管を、詰まりセンサの感知信号に応じて自動的に切り替える配管切替装置を備えたことを特徴とする請求項１記載の自然水熱採集ユニット。
【請求項３】
前記熱交換器の二次側流路の下流側で分岐されてケース外へ出た後にケース内へ導かれて前記貯溜タンク内へ入る補助配管系統を備え、この補助配管系統には、ケース外にて外気との熱交換をする補助熱交換部が設けられていることを特徴とする請求項１又は２自然水熱採集ユニット。
【請求項４】
前記補助熱交換部は、前記ケースの上面に沿う長尺状の配管であることを特徴とする請求項３記載の自然水熱採集ユニット。
【請求項５】
前記補助配管系統は、管内を流れる液の流量を制御する流量制御弁と、前記補助熱交換部側の温度を感知する温度センサとを備え、前記温度センサの感知信号に応じて、前記流量制御弁を制御するようにしたことを特徴とする請求項３又は４記載の自然水熱採集ユニット。
【請求項６】
前記熱交換器よりも下流側の自然水を分岐して取り出す分岐バルブが設けられていることを特徴とする請求項１〜５何れか１項記載の自然水熱採集ユニット。
【請求項７】
前記ケースの壁部に断熱遮音材を含み、このケース内に、前記貯溜タンクから吐出される液を強制的に流動させるポンプと、このポンプによって流出される液の熱を利用する利用側機器とを設けたことを特徴とする請求項１〜６何れか１項記載の自然水熱採集ユニット。
【請求項８】
前記ケースは、その内部が仕切り壁によって上下に仕切られており、前記仕切り壁の下側に、地面に埋め込まれる前記貯溜タンクを有し、前記仕切り壁には、前記熱交換器による熱交換後の液を前記貯溜タンクへ流入する配管が挿通されていることを特徴とする請求項１〜７何れか１項記載の自然水熱採集ユニット。
【発明の詳細な説明】
【技術分野】
【０００１】
本発明は、地下水（井水を含む）や、湖水、河川水等の自然水から、温熱や冷熱等の熱を採集する自然水熱採集ユニットに関するものである。
【背景技術】
【０００２】
特許文献１には、地中に埋設した鉛直状のケーシングにより地下水を汲み上げ、この地下水を融雪装置等の地上設備に供給して熱交換した後に地中に戻すようにした発明が記載されている。
前記のように地下水を利用する地上設備では、地下水に含まれる鉄やマンガン等の成分に起因してスケールが生成し、このスケールによって地下水に接触する配管や機器等が目詰まりを発生してしまう場合がある。このため、前記のようにして汲み上げた地下水は、空調機や冷凍機等の冷却水として直接用いるのには適していない。
そこで、例えば、特許文献２に記載の発明では、汲み上げられる地下水を水質前処理手段に通過させ、この水質前処理手段によって地下水に含まれる鉄やマンガン等を除去した後に、この地下水を、空調機等の熱交換器へ供給するようにしている。
【先行技術文献】
【特許文献】
【０００３】
【特許文献１】特開２００７−１７７４３４号公報
【特許文献２】特開２０１２−２３３６３６号公報
【発明の概要】
【発明が解決しようとする課題】
【０００４】
しかしながら、後者従来技術では、地上に建設した小屋内に、前記水質前処理手段、熱交換器、これらを接続する配管等、大型の機器を多数設置する必要があり、その設置作業に時間がかかる。また、熱交換性能を良好に得るためには、さらなる工夫を要する。
【課題を解決するための手段】
【０００５】
このような課題に鑑みて、本発明は、以下の構成を具備するものである。
運搬可能な一体状のケースと、このケース内に設けられた熱交換器と、ケース外からケース内に入り前記熱交換器の一次側流路を通過してケース外へ戻る熱源側配管系統と、ケース外からケース内へ入り前記熱交換器の二次側流路を通過してケース外へ戻る利用側配管系統とを備え、前記熱源側配管系統中には、前記ケース内における前記熱交換器よりも上流側で異物を除去する異物除去装置が設けられ、前記利用側配管系統中には、前記ケース内における前記熱交換器よりも下流側で熱交換後の液を一時貯溜して更に下流側へ流す貯溜タンクが設けられていることを特徴とする自然水熱採集ユニット。
【発明の効果】
【０００６】
本発明は、以上説明したように構成されているので、良好な熱交換性能を得ることができる上、運搬性にも優れている。
【図面の簡単な説明】
【０００７】
【図１】本発明に係る自然水熱採集ユニットの一例を示す内部構造図である。
【図２】同自然水熱採集ユニットを車両に積載した状態を示す側面図である。
【図３】図２に対する上面図である。
【図４】本発明に係る自然水熱採集ユニットの他例を示す内部構造図である。
【図５】本発明に係る自然水熱採集ユニットの他例を示す内部構造図である。
【発明を実施するための形態】
【０００８】
＜具体的実施態様＞
次に、上記特徴を有する具体的な実施態様について、図面に基づいて詳細に説明する。
本発明に係る自然水熱採集ユニット１は、運搬可能な一体状のケース１０と、このケース１０内に設けられた熱交換器２０と、ケース１０外からケース１０内に入り熱交換器２０の一次側流路２１ａ，２１ｂを通過してケース１０外へ戻る熱源側配管系統Ａと、ケース１０外からケース１０内へ入り熱交換器２０の二次側流路２２を通過してケース１０外へ戻る利用側配管系統Ｂと、熱交換器２０の二次側流路２２の下流側で分岐されてケース１０外へ出た後にケース１０内へ導かれる補助配管系統Ｃと、ケース１０内の各種電動機器を制御する制御部６８とを具備している。
【０００９】
ケース１０は、平面視矩形状のベース部１１と、このベース部１１の各辺側から略鉛直に立ち上がった四つの側壁部１２と、これら側壁部１２の上方開口を塞ぐ天壁部１３と、側壁部１２を部分的に開閉する扉１４（図２参照）等を一体的に備え、中空立方体状に構成される。
【００１０】
側壁部１２、天壁部１３及び扉１４等は、その一部又は全部に、断熱遮音材（例えば、ウレタンフォームやグラスウール等）を含んでいる。
【００１１】
熱交換器２０は、一次側の自然水（例えば地下水等）と、二次側の液（例えば、防食不凍液や水等）とを、多数プレートを介して熱交換するようにしたプレート式熱交換器である。
この熱交換器２０は、その内部に、前記一次側の自然水を流通させる二つの一次側流路２１ａ，２１ｂと、前記二次側の液を流通させる単数の二次側流路２２とを有する。
【００１２】
一方の一次側流路２１ａと他方の一次側流路２１ｂは、それぞれが独立した流路であり、単数の二次側流路２２と熱交換を行うように構成される。したがって、仮に一方の一次側流路２１ａで詰まりを生じた場合であっても、他方の一次側流路２１ｂによって二次側流路２２との熱交換が可能である。
【００１３】
熱源側配管系統Ａは、熱交換器２０の一次側流路２１ａ，２１ｂに接続される配管や各種機器等により構成され、外部の往管３１から自然水を吸い上げ、熱交換器２０と熱交換した水を外部の二つの還管３２，３３へ還す。
【００１４】
熱源側配管系統Ａは、往管３１に接続された単一の配管４１ａと、この配管４１ａの下流側に接続された異物除去装置４２と、異物除去装置４２の下流側に直列状に接続された配管４１ｂ，４１ｃと、配管４１ｃの下流側で分岐された二つの配管４３，４４と、これら配管４３，４４にそれぞれ接続された熱交換器２０の一次側流路２１ａ，２１ｂと、一次側流路２１ａ，２１ｂの下流側に接続された二つの配管４５，４６と、これら二つの配管４５，４６の合流部分に接続された単一の配管４７と、この配管４７の下流側で分岐された二つの配管４８，４９とによって構成され、二つの配管４８，４９を、それぞれ、外部の二つの還管３２，３３に接続している。
【００１５】
往管３１及び二つの還管３２，３３は、地下水を汲み上げて循環させる図示しない地下水往還装置（例えば特許文献１参照）に接続される。
往管３１、熱源側配管系統Ａ及び還管３２，３３等の循環流路中には、図示しないポンプが設けられ、このポンプによって、往管３１から二つの還管３２，３３へ向かう水の流れが形成される。
【００１６】
異物除去装置４２は、地下水等の自然水に含まれる異物（例えば、砂、泥、砂利、鉄、マンガン等）を除去する装置であり、詳細には、自然水に含まれる異物を遠心力により収集して、下端側の吐出口４２ａから排出する。この異物除去装置４２によれば、異物の除去により熱交換器２０の詰まりや性能低下を抑制できる上、異物除去装置４２以後の配管の腐食を防ぐことができる。
【００１７】
この異物除去装置４２の好ましい具体例としては、収集した異物を一時的に貯溜する貯溜部（図示せず）と、該貯溜部の異物の重量を感知する重量計（図示せず）と、吐出口４２ａを開閉する電動開閉弁（図示せず）とを備え、制御部６８が、前記重量計により感知した重量に応じて前記電動開閉弁を自動的に開放して、吐出口４２ａから異物を排出するようにする。
【００１８】
制御部６８は、例えばマイコンや、シーケンサ、リレー等によって構成された制御回路であり、外部からの操作や、予め記憶したプログラム等に応じて動作する。
【００１９】
異物除去装置４２の下流側には、二つの配管４３，４４を自動的に切り替える配管切替装置５１や、この配管切替装置５１へ向かう自然水の流量を計測する流量計４１ｄ等が設けられている。
【００２０】
配管切替装置５１の具体例としては、二つの配管４３，４４の流路をそれぞれ開閉する電動弁５１ａ，５１ｂと、一方の配管４３の詰まりを感知する詰まりセンサ４１ｅとを備える。
詰まりセンサ４１ｅは、本実施の好ましい一例によれば、配管４１ｂ内を流れる自然水の圧力が所定値を超えた場合に、感知信号を発する圧力スイッチである。なお、この詰まりセンサ４１ｅの他例としては、流量センサやその他のセンサを用いることも可能である。
【００２１】
制御部６８は、通常時は、電動弁５１ａ，５１ｂを制御して、一方の電動弁５１ａを開、他方の電動弁５１ｂを閉にし、一方の配管４３及び一次側流路２１ａのみに水を流通させる。
そして、制御部６８は、詰まりセンサ４１ｅの感知信号を受けた場合には、他方の電動弁５１ｂを開にして、他方の配管４４及び一次側流路２１ｂにも水を流通させる。
したがって、一方の配管４３側に詰まりを生じた場合でも、他方の配管４４側で水の流通を確保し、熱交換器２０による熱交換を継続することができる。
【００２２】
また、制御部６８は、流量計４１ｄによって熱交換器２０の上流側の自然水の流量を監視するとともに、図示しない温度センサによって、熱交換器２０の入口と出口の自然水の温度を監視しており、これら流量及び温度差より集熱量を計測する。そして、制御部６８は、前記流量や、温度、集熱量等のデータを、図示しないディスプレイ装置に表示する。
【００２３】
なお、配管切替装置５１に追加する構成として、前記配管の切替が行われた場合に、そのことを報知する報知手段を具備するようにしてもよい。この報知手段は、例えば、音や光による報知や、有線又は無線による信号出力とすればよい。この報知手段によれば、配管４３等の詰まりを、当該自然水熱採集ユニット１の管理者等に速やかに知らせることができる。
【００２４】
そして、熱源側配管系統Ａにおいて、熱交換器２０の下流側は、先に述べたように、二つの配管４５，４６、単一の配管４７、二つの配管４８，４９、二つの還管３２，３３に順次に接続される（図１参照）。
【００２５】
一方、利用側配管系統Ｂは、外部からケース１０内へ挿通されて熱交換器２０の二次側流路２２の入口に接続された単一の配管６１と、二次側流路２２の下流側に接続された単一の配管６２，６３と、これら配管６２，６３の下流側に接続されて熱交換後の液を一時貯溜して更に下流側へ流す貯溜タンク６４と、貯溜タンク６４の下流側に接続された単一の配管６５と、この配管６５の下流側に接続されたポンプ６６と、このポンプ６６の吐出側に接続されてケース１０外へ導かれた配管６７とを具備している。
【００２６】
貯溜タンク６４は、四方及び上下に壁部を有する中空密閉状のタンクであり、その上部壁に利用側配管系統Ｂの配管６３と補助配管系統Ｃの配管７４とを接続し、下部側の吐出口６４ａに、外部へ向かう配管６５を接続している。
【００２７】
この貯溜タンク６４は、利用側配管系統Ｂおよび補助配管系統Ｃから流入した液を、一時貯溜して、吐出口６４ａから徐々に吐出するように、流入側の配管６３，７４内径と、吐出口６４ａの管内径が、適宜に設定されている。例えば、吐出口６４ａの管内径を、流入側の配管６３内径よりも小さくする。
なお、他例としては、貯溜タンク６４内の貯水量が所定量以上になったことを水位センサにより感知し、この感知状態に応じて吐出口６４ａを電動バルブにより開放する態様や、貯溜タンク６４内の貯水量が所定量以上になった場合にフロート弁により吐出口６４ａを解放する態様等とすることも可能である。
【００２８】
ポンプ６６は、配管６５内の液を強制的にケース１０外側へ流動させるものである。なお、貯溜タンク６４による水圧のみで十分に液を流動させることができる場合は、このポンプ６６を省いてもよい。
【００２９】
また、補助配管系統Ｃは、熱交換器２０の下流側の配管６２から分岐された単一の配管７１ａと、この配管７１ａの下流側に接続されて液の流量を制御する流量制御弁７２と、この流量制御弁７２の下流側に接続された配管７１ｂと、配管７１ｂの下流側に接続されケース１０外で外気との熱交換を行う補助熱交換部７３と、補助熱交換部７３を通過した液を貯溜タンク６４へ導く配管７４と、補助熱交換部７３側の温度（例えば外気温）を感知する温度センサ（図示せず）とを備え、前記温度センサの感知信号に応じて流量制御弁７２を制御する。前記温度センサは、例えば、側壁部１２の外面等、適宜箇所に設ける。
【００３０】
流量制御弁７２は、前記温度センサの感知温度に応じて、補助熱交換部７３側の流路を開閉する電動弁である。制御部６８は、例えば、前記温度センサによる感知温度が所定の温度条件（例えば外気温が１６℃以上）になった場合に、流量制御弁７２を動作させて補助熱交換部７３側の流路を開放する。
【００３１】
なお、この流量制御弁７２の他例としては、前記温度センサの感知温度に応じて開度を連続的に変化させることも可能である。この他例によれば、例えば外気温度に応じて、補助熱交換部７３に流れる液の流量を連続的に変化させて、補助熱交換部７３をより効率的に利用することができる。
【００３２】
また、補助熱交換部７３は、ケース１０の外側で配管７１ｂの下流側に接続され、ケース１０の上面に沿って蛇行するように曲げ形成された長尺状の配管である（図３参照）。
この補助熱交換部７３は、その管壁を介して、内部を流れる液と外気との熱交換を行う。例えば、外気温が１６℃以上であり、補助熱交換部７３の管内を流れる液の温度が１６℃未満であれば、補助熱交換部７３内の液が外気によって加熱されることになる。
【００３３】
そして、利用側配管系統Ｂの入口の配管６１と出口の配管６７には、流出される液の熱を利用する利用側機器が接続される。この利用側機器は、前記液の熱を温熱源として利用する機器（例えば、ボイラーやヒートポンプ式機器等）としてもよし、前記液の熱を冷熱源として利用する機器（例えば、冷凍機や空調機、水冷式チラー等）としてもよい。
【００３４】
次に、上記構成の自然水熱採集ユニット１について、その特徴的な作用効果を詳細に説明する。
自然水熱採集ユニット１は、外部の往管３１から熱源側配管系統Ａへ供給される自然水（地下水等）について、先ず、異物除去装置４２により異物の除去を行う。
そして、自然水熱採集ユニット１は、異物除去後の自然水を、熱交換器２０の一方の一次側流路２１ａに流通させることで、二次側流路２２中の液との熱交換を行い、この後、この自然水を、配管４８，４９によって還管３２，３３へ戻す。
なお、図示例によれば、配管４８，４９及び還管３２，３３をそれぞれ並列する二本の管体としているが、他例としては、これら配管及び還管を単数または並列する三以上の管体とすることも可能である。
【００３５】
また、自然水熱採集ユニット１は、外部の利用側機器から配管６１へ流入される液を、熱交換器２０の二次側流路２２に流通させることで、自然水との熱交換を行う。
そして、自然水熱採集ユニット１は、熱交換後の液を、貯溜タンク６４に一時的に蓄積する。
また、自然水熱採集ユニット１は、補助熱交換部７３側の温度センサによる感知温度が所定の温度条件である場合には、流量制御弁７２を開放して、熱交換器２０から流出される液を補助配管系統Ｃへも流通させ、この液を、補助熱交換部７３によって外気と熱交換した後、貯溜タンク６４に一時的に蓄積する。すなわち、利用側配管系統Ｂと補助配管系統Ｃの二つの配管系統の液が、貯溜タンク６４内で合流することになる。
【００３６】
そして、自然水熱採集ユニット１は、貯溜タンク６４内の液の蓄積量が所定値以上になると、その液を吐出口６４ａから吐出して、配管６５、ポンプ６６、配管６７等を介して、外部の利用側機器へ供給する。
【００３７】
よって、上記構成の自然水熱採集ユニット１によれば、熱源側配管系統Ａで異物を除去するとともに利用側配管系統Ｂでは供給される液を一時貯溜して下流へ流すようにしているため、自然水に含まれる異物や、エアーかみ等に起因する熱交換効率の低下、液循環効率の低下等を防ぎ、熱交換後の液を安定的に利用側機器へ供給することができる。
また、熱源側配管系統Ａのみでは熱量が十分でない場合等には、その熱量を、補助配管系統Ｃの補助熱交換部７３の熱によって補うことができる。
しかも、上記した熱交換のための機器及び配管等を、断熱遮音性及び運搬性の良好な一体状のケース１０内に収納しているため、外気温の変化等の悪影響を受け難く良好な熱交換性能を得ることができ、静音性にも優れており、その上、図２及び図３に示すように、車両に載置して容易に運搬し、簡単な作業によって現場設置することができる。
【００３８】
次に、本発明に係る自然水熱採集ユニットの他例について説明する。なお、以下に示す自然水熱採集ユニットは、上記自然水熱採集ユニット１に対し一部を変更したものであるため、主にその変更部分について詳述し、重複する詳細説明は省略する。
【００３９】
図４に示す自然水熱採集ユニット２は、上記自然水熱採集ユニット１に加える構成として、熱源側配管系統Ａの下流側の還管３３に分岐バルブ８１を設け、ケース１０内に、利用側機器８２を設けたものである。
【００４０】
分岐バルブ８１は、還管３３内の自然水を分岐して外部に取り出すバルブであり、手動又は電動により開閉するように構成される。
【００４１】
利用側機器８２は、補助配管系統Ｃのポンプ６６よりも下流側の配管６７に設けられる。
利用側機器８２は、例えば、貯溜タンク６４から吐出される液を冷却水として用い、配管６９によって外部に冷水を循環させる水冷式チラーとすることができる。
図４中の配管６７は、利用側機器８２内の凝縮器（図示せず）と熱交換器２０の二次側流路２２との間で循環するように配管接続されている。また、図４中の配管６９は、利用側機器８２内の蒸発器（図示せず）と、外部の冷房負荷機器（図示せず）との間で循環するように配管接続されている。
【００４２】
上記構成の自然水熱採集ユニット２によれば、熱源側配管系統Ａ側においては、熱交換器２０による熱交換後の自然水を外部に取り出して有効に利用することができる。また、利用側配管系統Ｂ側においては、ポンプ６６や利用側機器８２等によって発生する騒音を、ケース１０によって軽減することができる。
【００４３】
なお、自然水熱採集ユニット２における利用側機器８２は、利用側配管系統Ｂの液を循環させながら利用する機器であればよく、他例としては、図示例以外の冷凍装置や、融雪装置、その他の熱機器等とすることが可能である。
また、図４に加える構成として、分岐バルブ８１によって分岐される水を、地面に埋め込まれた貯留槽（図示せず）に一時貯溜し、この水を、例えば水洗トイレの水に有効利用するようにしてもよい。
【００４４】
また、図５に示す自然水熱採集ユニット３は、上記自然水熱採集ユニット１のケース１０を、その内部が仕切り壁１４によって上下に仕切られたケース１０’に置換し、このケース１０’内の仕切り壁１４よりも下側の空間を貯溜タンク６４’とし、仕切り壁１４よりも上側の空間に、熱交換器２０及び熱源側配管系統Ａ等を配設している。
そして、この自然水熱採集ユニット３は、ケース１０’における貯溜タンク６４’を有する部分を地面に埋めるようにして用いられる。
【００４５】
ケース１０’は、内部が中空の直方体箱状に構成され、その内部空間が、略水平な平板上の仕切り壁１４によって上下に分割されている。そして、仕切り壁１４の下側には地面に埋め込まれる貯溜タンク６４’、ポンプ６６及び配管６５，６７等が設けられ、仕切り壁１４には熱交換器２０及び補助熱交換部７３等による熱交換後の液を貯溜タンク６４’へ流入する配管６３，７４が挿通されている。
【００４６】
仕切り壁１４よりも下側の空間は、図５に示すように、貯溜タンク６４’の内部である貯溜空間Ｓ１と、この貯溜空間Ｓ１との側方側でポンプ６６及び配管６５，６７等を内在するポンプ室Ｓ２とに分けられている。
貯溜空間Ｓ１に一時貯溜される液は、貯溜タンク６４’側壁に挿通された配管６５によりポンプ室Ｓ２へ入りポンプ６６の吸入口に吸い込まれる。そして、ポンプ６６から吐出される液は、配管６７によって仕切り壁１４よりも上側へ戻された後に側壁部１２を貫通してケース１０’外へ吐出される。
【００４７】
よって、上記構成の自然水熱採集ユニット３によれば、ケース１０’の水平方向の面積を有効に利用して、比較的広い範囲に貯溜空間Ｓ１を形成することができ、ひいては、貯溜タンク６４’の貯溜容量を大きく確保して、熱交換後の液を、より安定的に利用側機器へ供給することができる。
【００４８】
なお、貯溜タンク６４’は、上記したようにケース１０’内を仕切り壁１４等によって仕切ることで構成してもよいし、先に説明したケース１０（図１参照）の下面に、別体の矩形状ケースを接続することで構成してもよい。
また、他例としては、予め地面に貯溜タンク６４’及びポンプ室Ｓ２等を地面に埋め込んでおき、これらの上に、他の構成部材が後から載置されるようにすることも可能である。
【００４９】
図５に示す自然水熱採集ユニット３によれば、仕切り壁１４よりも下側の空間を貯溜空間Ｓ１とポンプ室Ｓ２に仕切ったが、他例としては、仕切り壁１４よりも下側の空間の略全てを貯溜空間Ｓ１とし、ポンプ６６及びその配管を、仕切り壁１４よりも上側や、ケース１０’の外側に配置することも可能である。
【００５０】
なお、上記実施の形態によれば、補助熱交換部７３を蛇行する配管により構成したが、この補助熱交換部７３の他例としては、フィンチューブ式熱交換器や、プレートフィン式熱交換器、コイル式熱交換器、その他の空冷式熱交換器を用いることが可能である。
さらに、好ましい他例としては、補助熱交換部７３の熱交換性能をより向上するために、補助熱交換部７３の近傍に空気を流動させるファン装置を設けるようにしてもよい。
【００５１】
また、図示例の自然水熱採集ユニット１，２，３は、大型の熱利用設備に対応して比較的大型の装置を構成したが、他例としては、これら自然水熱採集ユニット１，２，３を家庭用熱利用機器や小売り商店用熱利用機器等用として、比較的小型に構成することも可能である。この場合、自然水熱採集ユニット１，２，３は、例えば、空調機や、冷凍装置、冷凍ショーケース等に冷却水を供給するクーリングタワーの代替装置として、有効に利用することができる。
【００５２】
また、本発明は上述した実施態様に限定されず、本発明の要旨を変更しない範囲で適宜変更可能である。
【符号の説明】
【００５３】
１，２：自然水熱採集ユニット
１０：ケース
２０：熱交換器
２１ａ，２１ｂ：一次側流路
２２：二次側流路
３３：還管
４１ｅ：詰まりセンサ
４２：異物除去装置
５１：配管切替装置
６４：貯溜タンク
７２：流量制御弁
７３：補助熱交換部
８２：利用側機器
Ａ：熱源側配管系統
Ｂ：利用側配管系統
Ｃ：補助配管系統
【図１】
2019184182.tif 000003
【図２】
2019184182.tif 000004
【図３】
2019184182.tif 000005
【図４】
2019184182.tif 000006
【図５】
2019184182.tif 000007